(57)【特許請求の範囲】
【請求項１】
第１の回路基板と第２の回路基板が隣接するように、前記第１の回路基板と前記第２の回路基板とを接続するフレキシブル基板であって、
前記第１の回路基板において、前記第１の回路基板と前記第２の回路基板の隣接方向に直交する方向の一方側に設けられた接続端子と接続される第１端子部と、
前記第２の回路基板において、前記隣接方向に直交する方向の他方側に設けられた接続端子と接続される第２端子部と、
前記第１端子部と前記第２端子部の間を接続する複数の配線パターンが形成された配線パターン部とを有し、
前記第１端子部が形成された部分の内側端部から前記他方側に窪んだ第１凹部と、前記第１凹部の前記第１端子部と反対側に前記第２端子部の外側端部とつながる第１凸部とが形成され、前記第２端子部が形成された部分の内側端部から前記一方側に窪んだ第２凹部と、前記第２凹部の前記第２端子部と反対側に前記第１端子部の外側端部とつながる第２凸部とが形成され、
前記第１凹部と前記第１凸部とで構成される第１の外周と、前記第２凹部と前記第２凸とで構成される第２の外周の長さは略同等に構成され、
前記複数の配線パターンは、前記第１の外周と前記第２の外周に沿うように形成されており、
前記第１の回路基板と前記第２の回路基板の各接続端子に前記第１端子部と前記第２端子部とを接続する際、前記第１の回路基板及び前記第２回路基板の前記直交する方向の長さより小さくなるように、前記第１凸部と前記第２凸部とを前記第１の回路基板と前記第２の回路基板の側に折り曲げた部分を固定する固定手段を備える、フレキシブル基板。
【請求項２】
前記固定手段は、折り曲げられた前記第１凸部と前記第２凸部の少なくとも一方において、前記配線パターンが形成されていない領域に切り込みを有し、前記切り込みによって前記第１凸部と前記第２凸部とを嵌め合せて固定する、請求項１に記載のフレキシブル基板。
【請求項３】
前記切り込みは直線状に形成されている、請求項２に記載のフレキシブル基板。
【請求項４】
前記切り込みは曲線状に形成されている、請求項２に記載のフレキシブル基板。
【請求項５】
前記第１凹部と前記第２凹部は、一辺が開口した長方形の形状を有し、略同等の大きさに形成されている、請求項１から請求項４のいずれか一項に記載のフレキシブル基板。
【請求項６】
前記第１凹部と前記第２凹部は、一辺が開口した三角形の形状を有し、略同等の大きさに形成されている、請求項１から請求項４のいずれか一項に記載のフレキシブル基板。
【請求項７】
表示パネルと、
前記表示パネルを駆動する駆動手段と、
制御回路からの信号を前記駆動手段に中継する第１の回路基板及び第２の回路基板と、
前記第１の回路基板と前記第２の回路基板とを接続する請求項１から請求項６のいずれか一項に記載のフレキシブル基板と
を備える表示モジュール。
【請求項８】
前記駆動手段は、前記表示パネルとソース線を介して接続された複数のソース回路基板と、前記表示パネルとゲート線を介して接続された複数のゲート回路基板とを有し、
前記第１の回路基板は、前記複数のソース回路基板のうちの第１のソース回路基板群と接続され、前記第２の回路基板は、前記複数のソース回路基板のうちの第２のソース回路基板群と接続されるとともに前記制御回路と接続され、
前記制御回路からの信号は、前記第２の回路基板を介して前記第２のソース回路基板群に伝送されると共に、前記フレキシブル基板と前記第１の回路基板を介して前記第１のソース回路基板群に伝送される、請求項７に記載の表示モジュール。
【請求項９】
表示パネルを駆動させる信号を出力する制御回路と、
請求項７又は８に記載の表示モジュールと
を有する、表示装置。
【発明の詳細な説明】
【技術分野】
【０００１】
本発明は、回路基板間を接続するフレキシブル基板、表示モジュール、及び表示装置に関する。
【背景技術】
【０００２】
下記特許文献１には、ＴＦＴ液晶部の一長辺側に設けられたソース基板と、ソース基板が設けられた一長辺に隣接する一短辺側に設けられたゲート基板とを接続するＦＰＣ（Flexible printed circuits）が開示されている。このＦＰＣは、ソース基板とゲート基板が設けられた２辺の角部に配置されており、ＴＦＴ液晶部に対して内側に位置する配線パターンは外側に位置する配線パターンより長くなるように構成されている。特許文献１では、外側の配線パターンが高速信号の伝送路として用いられる。
【０００３】
また、複数のソース基板が液晶パネルと接続されている場合に、ソース基板間を接続するフレキシブル基板として図１０に示す形状のものがある。フレキシブル基板１００は、一方のソース基板と接続される端子１０１と他方のソース基板と接続される端子１０２とを有し、端子１０１と端子１０２との間を接続する複数の配線パターン１００ａ…１００ｎが形成されている。
【先行技術文献】
【特許文献】
【０００４】
【特許文献１】特開２００１−７５４９２号公報
【発明の概要】
【発明が解決しようとする課題】
【０００５】
上記特許文献１や図１０に示すフレキシブル基板１００の場合、内側と外側に形成された配線パターンの配線長が異なっている。このような配線パターンに対して高周波信号が差動伝送される場合、配線長が異なることによって遅延が発生するなど信号波形に乱れや鈍りが生じる。
【０００６】
本発明は、フレキシブル基板において伝送される信号波形の乱れや鈍りを軽減し、安定した信号の伝送を行うことを目的とする。
【課題を解決するための手段】
【０００７】
本発明によるフレキシブル基板は、第１の回路基板と第２の回路基板が隣接するように、前記第１の回路基板と前記第２の回路基板とを接続するフレキシブル基板であって、前記第１の回路基板において、前記第１の回路基板と前記第２の回路基板の隣接方向に直交する方向の一方側に設けられた接続端子と接続される第１端子部と、前記第２の回路基板において、前記隣接方向に直交する方向の他方側に設けられた接続端子と接続される第２端子部と、前記第１端子部と前記第２端子部の間を接続する複数の配線パターンが形成された配線パターン部とを有し、前記第１端子部が形成された部分の内側端部から前記他方側に窪んだ第１凹部と、前記第１凹部の前記第１端子部と反対側に前記第２端子部の外側端部とつながる第１凸部とが形成され、前記第２端子部が形成された部分の内側端部から前記一方側に窪んだ第２凹部と、前記第２凹部の前記第２端子部と反対側に前記第１端子部の外側端部とつながる第２凸部とが形成され、前記第１凹部と前記第１凸部とで構成される第１の外周と、前記第２凹部と前記第２凸とで構成される第２の外周の長さは略同等に構成され、前記複数の配線パターンは、前記第１の外周と前記第２の外周に沿うように形成されている。
【発明の効果】
【０００８】
本発明の構成によれば、第１端子部と第２端子部の両端に位置する配線パターンの配線長は略同等の長さとなるように形成される。そのため、これら配線パターンに高周波信号を伝送させた場合でも波形の乱れや鈍りが生じにくく、信号の伝送を安定して行うことが可能となる。
【図面の簡単な説明】
【０００９】
【図１】図１は、第１実施形態に係る表示装置の断面を示す図である。
【図２】図２は、図１においてｚ軸正方向から見た表示装置の模式図である
【図３】図２は、液晶パネルと接続されている各部を示す図である。
【図４Ａ】図４Ａは、第１実施形態に係るフレキシブル基板の平面図である。
【図４Ｂ】図４Ｂは、図４Ａのフレキシブル基板の配線パターン例を示す図である。
【図５】図５は、第２実施形態に係るフレキシブル基板の平面図である。
【図６Ａ】図６Ａは、第３実施形態に係るフレキシブル基板の平面図である。
【図６Ｂ】図６Ｂは、図６Ａのフレキシブル基板を折り曲げて固定した状態を示す図である。
【図７Ａ】図７Ａは、第４実施形態に係るフレキシブル基板の平面図である。
【図７Ｂ】図７Ｂは、図７Ａのフレキシブル基板を折り曲げて固定した状態を示す図である。
【図８Ａ】図８Ａは、第５実施形態に係るフレキシブル基板の平面図である。
【図８Ｂ】図８Ｂは、図８Ａのフレキシブル基板において２つの切り込みが形成されている例を示す図である。
【図９Ａ】図９Ａは、変形例（１）に係るフレキシブル基板を示す平面図である。
【図９Ｂ】図９Ｂは、変形例（１）に係るフレキシブル基板を示す平面図である。
【図１０】図１０は、従来のフレキシブル基板を示す平面図である。
【発明を実施するための形態】
【００１０】
本発明の一実施形態に係るフレキシブル基板は、第１の回路基板と第２の回路基板が隣接するように、前記第１の回路基板と前記第２の回路基板とを接続するフレキシブル基板であって、前記第１の回路基板において、前記第１の回路基板と前記第２の回路基板の隣接方向に直交する方向の一方側に設けられた接続端子と接続される第１端子部と、前記第２の回路基板において、前記隣接方向に直交する方向の他方側に設けられた接続端子と接続される第２端子部と、前記第１端子部と前記第２端子部の間を接続する複数の配線パターンが形成された配線パターン部とを有し、前記第１端子部が形成された部分の内側端部から前記他方側に窪んだ第１凹部と、前記第１凹部の前記第１端子部と反対側に前記第２端子部の外側端部とつながる第１凸部とが形成され、前記第２端子部が形成された部分の内側端部から前記一方側に窪んだ第２凹部と、前記第２凹部の前記第２端子部と反対側に前記第１端子部の外側端部とつながる第２凸部とが形成され、前記第１凹部と前記第１凸部とで構成される第１の外周と、前記第２凹部と前記第２凸とで構成される第２の外周の長さは略同等に構成され、前記複数の配線パターンは、前記第１の外周と前記第２の外周に沿うように形成されている、としてもよい（第１の構成）。本構成によれば、第１端子部と第２端子部の両端に位置する配線パターンの配線長は略同等の長さとなるように形成される。そのため、これら配線パターンに高周波信号を伝送させた場合でも波形の乱れや鈍りが生じにくく、信号の伝送を安定して行うことが可能となる。
【００１１】
第２の構成は、第１の構成において、前記第１の回路基板と前記第２の回路基板の各接続端子に前記第１端子部と前記第２端子部とを接続する際、前記第１の回路基板及び前記第２回路基板の前記直交する方向の長さより小さくなるように、前記第１凸部と前記第２凸部とを前記第１の回路基板と前記第２の回路基板の側に折り曲げた部分を固定する固定手段を備えることとしてもよい。この構成によれば、フレキシブル基板を回路基板の大きさに依存することなく形成することができるので、必要な配線パターン数を確保することができる。
【００１２】
第３の構成は、第２の構成において、前記固定手段は、折り曲げられた前記第１凸部と前記第２凸部の少なくとも一方において、前記配線パターンが形成されていない領域に切り込みを有し、前記切り込みによって前記第１凸部と前記第２凸部とを嵌め合せて固定することとしてもよい。この構成によれば、フレキシブル基板を固定させるための部材を必要としないためフレキシブル基板の生産性を向上させることができる。
【００１３】
第４の構成は、第３の構成において、前記切り込みは直線状に形成されていることとしてもよい。
【００１４】
第５の構成は、第３の構成において、前記切り込みは曲線状に形成されていることとしてもよい。
【００１５】
第６の構成は、第１から第５のいずれかの構成において、前記第１凹部と前記第２凹部は、一辺が開口した長方形の形状を有し、略同等の大きさに形成されていることとしてもよい。
【００１６】
第７の構成は、第１から第５のいずれかの構成において、前記第１凹部と前記第２凹部は、一辺が開口した三角形の形状を有し、略同等の大きさに形成されていることとしてもよい。
【００１７】
本発明の一実施形態に係る表示モジュールは、表示パネルと、前記表示パネルを駆動する駆動手段と、制御回路からの信号を前記駆動手段に中継する第１の回路基板及び第２の回路基板と、前記第１の回路基板と前記第２の回路基板とを接続する第１から第７の構成のいずれかのフレキシブル基板を備える（第８の構成）。本構成によれば、第１端子部と第２端子部の両端に位置する配線パターンの配線長は略同等の長さとなるように形成される。そのため、これら配線パターンに高周波信号を伝送させた場合でも波形の乱れや鈍りが生じにくく、信号の伝送を安定して行うことが可能となる。
【００１８】
第９の構成は、第８の構成において、前記駆動手段は、前記表示パネルとソース線を介して接続された複数のソース回路基板と、前記表示パネルとゲート線を介して接続された複数のゲート回路基板とを有し、前記第１の回路基板は、前記複数のソース回路基板のうちの第１のソース回路基板群と接続され、前記第２の回路基板は、前記複数のソース回路基板のうちの第２のソース回路基板群と接続されるとともに前記制御回路と接続され、前記制御回路からの信号は、前記第２の回路基板を介して前記第２のソース回路基板群に伝送されると共に、前記フレキシブル基板と前記第１の回路基板を介して前記第１のソース回路基板群に伝送されることとしてもよい。
【００１９】
本発明の一実施形態に係る表示装置は、表示パネルを駆動させる信号を出力する制御回路と、第８又は第９の構成の表示モジュールとを備える（第１０の構成）。本構成によれば、第１端子部と第２端子部の両端に位置する配線パターンの配線長は略同等の長さとなるように形成される。そのため、これら配線パターンに高周波信号を伝送させた場合でも波形の乱れや鈍りが生じにくく、信号の伝送を安定して行うことが可能となる。
【００２０】
以下、図面を参照し、本発明の実施の形態を詳しく説明する。図中同一又は相当部分には同一符号を付してその説明は繰り返さない。
【００２１】
＜第１実施形態＞
本発明に係るフレキシブル基板は、例えば、液晶ディスプレイなどの表示装置に用いられる。図１は、本発明に係るフレキシブル基板が用いられる表示装置の断面を表す模式図である。また、図２は、図１においてｚ軸正方向から見た表示装置の模式図である。なお、図１及び図２では、説明の便宜上、表示装置における主要な構成について記載し、一部の構成の記載を省略している。
【００２２】
表示装置１は、アクティブマトリクス型の液晶パネル１０を備えている。図１に示すように、液晶パネル１０は、偏光板１０１とカラーフィルタ基板１０２とアクティブマトリクス基板１０３とを重ねて合わせて構成される。カラーフィルタ基板１０２とアクティブマトリクス基板１０３との間には液晶層（図示略）が形成されている。アクティブマトリクス基板１０３には画素電極が形成され、カラーフィルタ基板１０２には共通電極が形成されている。
【００２３】
液晶パネル１０は、アクティブマトリクス基板１０３の一部が露出した形状となっている。液晶パネル１０は、マトリクス状に形成された複数の画素（図示略）を有する。液晶パネル１０において、これら複数の画素が形成された領域が表示領域となり、アクティブマトリクス基板１０３の一部が露出した部分は非表示領域となる。
【００２４】
図１及び図２に示すように、非表示領域であるアクティブマトリクス基板１０３の端部には、ｙ軸方向に沿って複数のソースドライバ２０が接続されている。なお、図１及び図２では記載を省略しているが、アクティブマトリクス基板１０３には、ソースドライバ２０が接続されている辺と隣接する辺の側において、図２のｘ軸方向に沿って複数のゲートドライバ３０（図３）が接続されている。
【００２５】
図３に示すように、液晶パネル１０のアクティブマトリクス基板１０３に形成されている薄膜トランジスタのソース電極には複数のソース線１０ｓが接続されている。また、液晶パネル１０のアクティブマトリクス基板１０３に形成されている薄膜トランジスタのゲート電極には、複数のゲート線１０ｇが接続されている。液晶パネル１０は、ソース線１０ｓを介してソースドライバ２０と接続され、ゲート線１０ｇを介してゲートドライバ３０と接続されている。ソースドライバ２０は、ソース基板６０を介してコントローラ５０と電気的に接続され、ゲートドライバ３０は、ゲート基板（図示略）を介してコントローラ５０と電気的に接続されている。
【００２６】
コントローラ５０は、ＣＰＵ（Central Processing Unit）と、ＲＯＭ（Read Only Memory）及びＲＡＭ（Random Accessing Memory）を含むメモリとを有する。コントローラ５０は、液晶パネル１０を駆動させるためのタイミング信号をゲートドライバ３０とソースドライバ２０とに出力し、タイミング信号と同期させて画像データを示すデータ信号をソースドライバ２０に出力する。
【００２７】
ゲートドライバ３０は、コントローラ５０からのタイミング信号に応じて、複数のゲート線１０ｇに対して走査信号を送出する。各ゲート線１０ｇからゲート電極に走査信号が入力されると、走査信号に応じて薄膜トランジスタが駆動される。
【００２８】
各ソースドライバ２０は、アクティブマトリクス基板１０３とは反対側の端部においてソース基板６０と電気的に接続されている。本実施形態では、ソース基板６０ａ（第２の回路基板の一例）とソース基板６０ｂ（第１の回路基板の一例）が配置されており、ソース基板６０ａとソース基板６０ｂの間はフレキシブル基板７０によって接続されている。ソース基板６０ａとソース基板６０ｂは、コンデンサ、抵抗、及びダイオード等の電子部品を実装したプリント基板で構成されている。
【００２９】
ソース基板６０ａには、図２のｘ軸正方向側（ソースドライバ２０と反対側）において、フレキシブル基板７０と接続される接続端子（図示略）が形成されている。また、ソース基板６０ａには、ｘ軸正方向側において、コントローラ５０と接続される外部接続端子（図示略）が形成されている。ソース基板６０ａには、ソース基板６０ａに接続されているソースドライバ２０と、フレキシブル基板７０と接続される接続端子とに外部接続端子から入力される信号を伝送する配線（図示略）が形成されている。
【００３０】
ソース基板６０ｂには、図２のｘ軸負方向側（ソースドライバ２０の側）にフレキシブル基板７０と接続される接続端子（図示略）が形成されている。ソース基板６０ｂには、ソース基板６０ｂに接続されているソースドライバ２０に対し、フレキシブル基板７０と接続される接続端子から入力される信号を伝送する配線（図示略）が形成されている。
【００３１】
ここで、本実施形態に係るフレキシブル基板７０について説明する。図４Ａは、本実施形態に係るフレキシブル基板７０の平面図である。フレキシブル基板７０は、図４Ａにおいて上端側（ソースドライバ２０の側）と下端側（ソースドライバ２０と反対側）に凹部Ａ１,Ａ２を有する略長方形の形状で構成されている。本実施形態ではフレキシブル基板７０の幅Ｌａは、図２に示すソース基板６０の幅Ｌと同等に又は幅Ｌより小さく構成されている。
【００３２】
フレキシブル基板７０の上端側の右側部分には端子部７０１（第１端子部）が形成されている。端子部７０１は、ソース基板６０ｂの接続端子と接続される端子群を有する。フレキシブル基板７０の下端側の左側部分には端子部７０２（第２端子部）が形成されている。端子部７０２は、ソース基板６０ａの接続端子と接続される端子群を有する。フレキシブル基板７０の端子部７０１と端子部７０２は、例えば異方性導電膜などによってソース基板６０ｂとソース基板６０ａの各接続端子に各々接着される。
【００３３】
フレキシブル基板７０には凹部Ａ１（第１凹部の一例）と凸部Ｓ１（第１凸部の一例）が形成されている。凹部Ａ１は、端子部７０１の内側端部７０１ｐからフレキシブル基板７０の内側に向けて窪み、高さｈ１、幅ｗ１となる上方が開口した略長方形の形状を有する。凸部Ｓ１は、凹部Ａ１の端子部７０１と反対側の端部から端子部７０２の外側端部７０２ｑにつながるように形成されている。また、フレキシブル基板７０には凹部Ａ２（第２凹部の一例）と凸部Ｓ２（第２凸部の一例）が形成されている。凹部Ａ２は、端子部７０２の内側端部７０２ｐからフレキシブル基板７０の内側に向けて窪み、高さｈ１、幅ｗ１となる下方が開口した略長方形の形状を有する。凸部Ｓ２は、凹部Ａ２の端子部７０２と反対側の端部から端子部７０１の外側端部７０１ｑとつながるように形成されている。
【００３４】
フレキシブル基板７０において、凸部Ｓ１を構成する辺Ｖ１と凸部Ｓ２を構成する辺Ｖ２とは略同じ長さである。また、凸部Ｓ１を構成する辺Ｘ２と凸部Ｓ２を構成する辺Ｘ１の長さは略同じ長さである。つまり、凹部Ａ１と凸部Ｓ１とからなる第１の外周と、凹部Ａ２と凸部Ｓ２とからなる第２の外周の長さは略同等の長さとなっている。
【００３５】
フレキシブル基板７０には、図４Ｂに示すように、複数の配線パターン７０３（７０３ａ〜７０３ｎ）が形成されている。配線パターン７０３は、端子部７０１と端子部７０２の間を、第１の外周と第２の外周に沿うように任意の間隔で形成されている。従って、端子７０１，７０２の両端に形成されている配線パターン７０３ａと７０３ｎは略同じ長さとなっている。また、配線パターン７０３ａと７０３ｎの間に形成されている他の配線パターンも配線パターン７０３ａ，７０３ｎと略同等の長さとなっている。本実施形態では、コントローラ５０から出力されるタイミング信号やデータ信号はソース基板６０ａに伝送される。そして、ソース基板６０ａからフレキシブル基板７０の配線パターン７０３を通ってソース基板６０ｂに伝送される。
【００３６】
各ソースドライバ２０は、図１及び図２に示すように、ポリイミドなどのフィルム基材２０１の上に、液晶パネル１０を駆動するＩＣチップ２０２が搭載されて構成されている。フィルム基材２０１には、コントローラ５０からの信号をＩＣチップ２０２に伝送する配線（図示略）とＩＣチップ２０２から出力される信号をソース線１０ｓに伝送する配線（図示略）とが形成されている。各ソースドライバ２０は、接続されているソース基板６０を介してコントローラ５０からのデータ信号を電圧信号に変換する。各ソースドライバ２０は、ソース線１０ｓに対し、ゲートドライバ３０の走査信号の出力タイミングと合わせて、電圧信号を送出する。これにより、画素電極と共通電極との間に位置する液晶層において、液晶分子が電圧信号に応じて配向状態を変えることにより、各画素の階調が制御される。その結果、液晶パネル１０において画像信号に応じた画像が表示される。
【００３７】
上述した実施形態では、フレキシブル基板７０の端子部７０１，７０２の両端に位置する配線パターン７０３ａ，７０３ｎは略同じ長さに形成され、他の配線パターンもこれら配線パターンと略同等の長さとなるように形成される。そのため、これら配線パターンに対して高周波信号を差動伝送した場合に信号波形の乱れや鈍りが生じにくく、安定して信号を伝送することが可能となる。
【００３８】
＜第２実施形態＞
第１実施形態では、フレキシブル基板７０において、一辺が開口した長方形の形状を有する凹部Ａ１，Ａ２が形成されている例について説明したが、例えば、図５に示す凹部Ｂ１，Ｂ２が形成されたフレキシブル基板７０ａであってもよい。
【００３９】
凹部Ｂ１（第１凹部の一例）は、端子部７０１の内側端部７０１ｐからフレキシブル基板７０ａの内側に向けて窪み、高さｈ２、幅ｗ２、角度θとなる一辺が開口した三角形の形状を有する。凹部Ｂ２（第２凹部の一例）は、端子部７０２の内側端部７０２ｐからフレキシブル基板７０ａの内側に向けて窪み、高さｈ２、幅ｗ２、角度θとなる一辺が開口した三角形の形状を有する。また、フレキシブル基板７０ａは、凸部Ｓ１、Ｓ２を有する。凸部Ｓ１は、凹部Ｂ１の端子部７０１と反対側の端部から端子部７０２の外側端部７０２ｑにつながるように形成されている。また、凸部Ｓ２は、凹部Ｂ２の端子部７０２と反対側の端部から端子部７０１の外側端部７０１ｑとつながるように形成されている。本実施形態においても、凹部Ｂ１と凸部Ｓ１とからなる第１の外周と、凹部Ｂ２と凸部Ｓ２とからなる第２の外周の長さは略同等の長さとなっている。
【００４０】
フレキシブル基板７０ａには、配線パターン７１３（７１３ａ〜７１３ｎ）が形成されている。配線パターン７１３は、第１の外周と第２の外周に沿うように任意の間隔で形成され、端子部７０１と端子部７０２の間を接続している。従って、配線パターン７１３のうち、端子７０１，７０２の両端に形成されている配線パターン７１３ａと７１３ｎは略同じ長さとなっている。また、配線パターン７１３ａと７１３ｎの間に形成されている他の配線パターンも配線パターン７１３ａと７１３ｎと略同等の長さとなっている。
【００４１】
上述した実施形態では、第１実施形態の配線パターン７０３より配線パターン７１３の長さが短くなる。そのため、第１実施形態と比べて信号をより安定して伝送することができる。また、端子部７０１，７０２の両端に位置する配線パターン７１３ａ、７１３ｎが略同じ長さとなるように構成され、他の配線パターンもこれら配線パターンと略同じ長さとなっているため、配線長の違いによる信号波形の乱れが生じにくく安定した伝送を行うことができる。
【００４２】
＜第３実施形態＞
上述した第１実施形態では、フレキシブル基板７０の幅がソース基板６０の幅より小さい場合の例について説明したが、フレキシブル基板７０の幅がソース基板６０の幅より大きく構成されていてもよい。以下、具体的に説明する。
【００４３】
図６Ａは、第１実施形態と同様の凹部の形状を有するフレキシブル基板７０ｂの平面図を表している。フレキシブル基板７０ｂの幅Ｌｂはソース基板６０の幅Ｌより大きく構成されている。フレキシブル基板７０ｂは、凸部Ｓ１，Ｓ２において、配線パターン７０３が形成されていない非配線パターン領域７２１，７２２を有する。
【００４４】
第１実施形態の場合、フレキシブル基板７０は、ソース基板６０の幅Ｌより小さく構成されているため、フレキシブル基板７０をソース基板６０に接着した際、ソース基板６０からはみ出すことはない。本実施形態に係るフレキシブル基板７０ｂは、ソース基板６０の幅Ｌより大きく構成されているため、第１実施形態と同様にして端子部７０１，７０２をソース基板６０ａ，６０ｂの各接続端子と接着するとソース基板６０からはみ出してしまう。そのため、本実施形態では、フレキシブル基板７０ｂをソース基板６０に接着する場合、ソース基板６０の幅Ｌ以下となるように破線で示す折り曲げ線Ｔ１，Ｔ２でフレキシブル基板７０ｂの凸部Ｓ１，Ｓ２を裏面側に折り曲げる。そして、凸部Ｓ１の非配線パターン領域７２１と凸部Ｓ２の非配線パターン領域７２２の部分を重ね合せ、接着テープやプラスチック製のクリップなどの固定手段を用いて固定するようにしてもよい。
【００４５】
図６Ｂは、図６Ａのフレキシブル基板７０ｂの非配線パターン領域７２１，７２２の部分を裏面側で重ね合せて固定した状態を表した図である。図６Ｂに示すように、フレキシブル基板７０ｂの非配線パターン領域７２１、７２２とが重なる領域７２３の部分が接着される。このように、非配線パターン領域７２１と非配線パターン領域７２２とを重ね合せて接着することで、折り曲げられた部分が固定される。その結果、ソース基板６０からはみ出すことなくフレキシブル基板７０ｂをソース基板６０に接続することができる。また、ソース基板６０の幅に依存することなくフレキシブル基板７０ｂを形成することができるので、必要な配線パターン数を確保することができる。
【００４６】
＜第４実施形態＞
上述した第２実施形態では、フレキシブル基板７０ａの幅がソース基板６０の幅より小さい場合の例について説明したが、フレキシブル基板７０ａの幅がソース基板６０の幅より大きく構成されていてもよい。以下、具体的に説明する。
【００４７】
図７Ａは、第２実施形態と同様の凹部の形状を有するフレキシブル基板７０ｃの平面図を表している。フレキシブル基板７０ｃの幅Ｌｃはソース基板６０の幅Ｌより大きく構成されている。フレキシブル基板７０ｃは、凸部Ｓ１，Ｓ２において、配線パターン７１３が形成されていない非配線パターン領域７２１，７２２を有する。
【００４８】
フレキシブル基板７０ｃはソース基板６０の幅Ｌより大きく構成されている。そのため、第２実施形態と同様にして端子部７０１，７０２をソース基板６０ａ，６０ｂの各接続端子と接着するとソース基板６０からはみ出してしまう。本実施形態では、フレキシブル基板７０ｃをソース基板６０に接着する場合は、ソース基板６０の幅Ｌ以下となるように破線で示す折り曲げ線Ｔ１，Ｔ２でフレキシブル基板７０ｃの凸部Ｓ１，Ｓ２を裏面側に折り曲げる。そして、凸部Ｓ１の非配線パターン領域７２１と凸部Ｓ２の非配線パターン領域７２２の部分を重ね合せて接着テープやプラスチック製のクリップなどの固定手段を用いて固定するようにしてもよい。
【００４９】
図７Ｂは、図７Ａのフレキシブル基板７０ｃの非配線パターン領域７２１，７２２の部分を裏面側で重ね合せて固定した状態を表した図である。図７Ｂに示すように、フレキシブル基板７０ｃの非配線パターン領域７２１、７２２とが重なる領域７２３の部分が接着される。このように非配線パターン領域７２１、７２２とを重ね合せて接着することで折り曲げられた部分が固定され、ソース基板６０からはみ出すことなくフレキシブル基板７０ｃをソース基板６０に接続することができる。また、ソース基板６０の幅に依存することなくフレキシブル基板７０ｃを形成することができるので、必要な配線パターン数を確保することができる。
【００５０】
＜第５実施形態＞
上述した第３及び第４実施形態では、非配線パターン領域７２１，７２２を接着テープなどを用いて接着することで、折り曲げられた部分を固定する例であったが、以下のようにして固定してもよい。なお、以下の例では、第３実施形態の図６Ａに示したフレキシブル基板を例に説明するが、第４実施形態の図７Ａに示したフレキシブル基板についても同様である。
【００５１】
図８Ａは、本実施形態に係るフレキシブル基板７０ｄを表す平面図である。フレキシブル基板７０ｄは、凸部Ｓ１の非配線パターン領域７２１において、裏面側に折り曲げられた場合に凸部Ｓ２における非配線パターン領域７２２と重なる部分に切り込み７３１が形成されている。切り込み７３１は、凸部Ｓ１の上端に対して任意の角度だけ傾いた直線状に形成されている。
【００５２】
本実施形態では、凸部Ｓ１に形成された切り込み部７３１に凸部Ｓ２を嵌め合せることにより折り曲げられた部分が固定される。このように構成することにより、第３実施形態の場合と比べてフレキシブル基板７０ｄをソース基板６０に装着する際のコストを軽減することができる。
【００５３】
なお、上記図８Ａでは凸部Ｓ１の側に切り込み７３１を設ける例であるが、凸部Ｓ２の側に設けてもよい。また、図８Ｂに示すように、凸部Ｓ１，Ｓ２の各非配線パターン領域７２１，７２２に切り込み部７３１，７３２が形成されていてもよい。このように構成することで、一方の凸部に切り込み部が形成される場合と比べて固定強度をより高くすることができる。
【００５４】
以上、本発明の実施の形態を説明したが、上述した実施の形態は本発明を実施するための例示に過ぎない。よって、本発明は上述した実施の形態に限定されることなく、その趣旨を逸脱しない範囲内で上述した実施の形態を適宜変形して実施することが可能である。以下、本発明の変形例について説明する。
【００５５】
（１）上述した第５実施形態は、切り込み７３１，７３２が、凸部Ｓ１，Ｓ２の端部に対して任意の角度となるように直線状に形成されている例であるが、切り込みの形状は直線状に限らず、曲線状に形成されていてもよい。例えば、図９Ａに示すように、折り曲げ線Ｔ１，Ｔ２で凸部Ｓ１，Ｓ２を折り曲げた際に、凸部Ｓ１の非配線パターン領域７２１と凸部Ｓ２の非配線パターン領域７２２とが重なる位置にＬ字状の切り込み７４１，７４２が形成されていてもよい。このように構成することにより第５実施形態と比べて凸部Ｓ１，Ｓ２がより強固に嵌め合わされて固定される。また、Ｌ字状に限らず、図９Ｂに示すように円弧形状の切り込み７５１，７５２であってもよい。要するに、凸部Ｓ１と凸部Ｓ２とを嵌め合わすことができる形状であればよい。
【００５６】
（２）上記第１から第５実施形態における、液晶パネル１０、ソース線１０ｓ、ソースドライバ２０、ソース基板６０、及びフレキシブル基板７０，７０ａ，７０ｂ，７０ｃ，７０ｄを表示モジュールとして、液晶パネル１０を駆動させる他の制御回路及びゲートドライバと接続してもよい。または、液晶パネル１０、ソース線１０ｓ、ゲート線１０ｇ、ソースドライバ２０、ゲートドライバ３０、ソース基板６０、及びフレキシブル基板７０，７０ａ，７０ｂ，７０ｃ，７０ｄを表示モジュールとして、液晶パネル１０を駆動させる他の制御回路と接続してもよい。
【００５７】
（３）上記第１から第５実施形態において、フレキシブル基板は液晶ディスプレイに用いられる例を説明したが、例えば有機ＥＬ（Electro-Luminescence）ディスプレイなどの表示装置に用いられてもよい。
【００５８】
（４）上述した第１から第５実施形態では、ソース基板６０ａとソース基板６０ｂとをフレキシブル基板７０によって接続する例であったが、例えば、複数のゲート基板が設けられている場合に、ゲート基板間をフレキシブル基板７０で接続するようにしてもよい。
【符号の説明】
【００５９】
１…表示装置、１０…液晶パネル、１０ｓ…ソース線、１０ｇ…ゲート線、２０…ソースドライバ、３０…ゲートドライバ、５０…コントローラ、６０，６０ａ，６０ｂ…ソース基板、７０，７０ａ，７０ｂ，７０ｃ…フレキシブル基板、１０１…偏光板、１０２…カラーフィルタ基板、１０３…アクティブマトリクス基板、２０１…フィルム基材、２０２…ＩＣチップ、７０１，７０２…端子部、７０３，７０３ａ，７０３ｎ，７１３，７１３ａ，７１３ｎ…配線パターン、Ａ１，Ａ２，Ｂ１，Ｂ２…凹部、Ｓ１，Ｓ２…凸部、７３１，７３２，７４１，７４２，７５１，７５２…切り込み
【図１】
0005675699.tif 000002
【図２】
0005675699.tif 000003
【図３】
0005675699.tif 000004
【図４Ａ】
0005675699.tif 000005
【図４Ｂ】
0005675699.tif 000006
【図５】
0005675699.tif 000007
【図６Ａ】
0005675699.tif 000008
【図６Ｂ】
0005675699.tif 000009
【図７Ａ】
0005675699.tif 000010
【図７Ｂ】
0005675699.tif 000011
【図８Ａ】
0005675699.tif 000012
【図８Ｂ】
0005675699.tif 000013
【図９Ａ】
0005675699.tif 000014
【図９Ｂ】
0005675699.tif 000015
【図１０】
0005675699.tif 000016